【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
多段自動変速機であって、１つの入力軸（ＡＮ）と１つの出力軸（ＡＢ）と少なくとも３つの単一遊星歯車組（ＲＳ１、ＲＳ２、ＲＳ３）と少なくとも５つの切換要素（Ａ〜Ｅ）とを有し、
‐３つの遊星歯車組（ＲＳ１、ＲＳ２、ＲＳ３）が互いに同軸に配置されており、
‐第２および第３遊星歯車組（ＲＳ２、ＲＳ３）が軸線方向に並んで配置されており、
‐第３遊星歯車組（ＲＳ３）の１つの太陽歯車（ＳＯ３）が第１切換要素（Ａ）を介して多段自動変速機の１つの変速機ケース（ＧＧ）に固定可能であり、
‐入力軸（ＡＮ）が第２遊星歯車組（ＲＳ２）の１つの太陽歯車（ＳＯ２）と結合されており、
‐入力軸（ＡＮ）が、第２切換要素（Ｂ）を介して第１遊星歯車組（ＲＳ１）の１つの太陽歯車（ＳＯ１）と結合可能であるか、および／または第５切換要素（Ｅ）を介して第１遊星歯車組（ＲＳ１）の１つのキャリヤ（ＳＴ１）と結合可能であるか、
‐或いは、第１遊星歯車組（ＲＳ１）の太陽歯車（ＳＯ１）が、第３切換要素（Ｃ）を介して変速機ケース（ＧＧ）に固定可能であるか、および／または第１遊星歯車組（ＲＳ１）のキャリヤ（ＳＴ１）が第４切換要素（Ｄ）を介して変速機ケース（ＧＧ）に固定可能であり、
‐出力軸（ＡＢ）と第１遊星歯車組（ＲＳ１）の１つのリングギヤ（ＨＯ１）と第３遊星歯車組（ＲＳ３）の１つのキャリヤ（ＳＴ３）とが互いに結合され、第２遊星歯車組（ＲＳ２）の１つのキャリヤ（ＳＴ２）が第３遊星歯車組（ＲＳ３）の１つのリングギヤ（ＨＯ３）と結合され、第１遊星歯車組（ＲＳ１）のキャリヤ（ＳＴ１）が第２遊星歯車組（ＲＳ２）の１つのリングギヤ（ＨＯ２）と結合されているか、
‐或いは、出力軸（ＡＢ）と第１遊星歯車組（ＲＳ１）のリングギヤ（ＨＯ１）と第２遊星歯車組（ＲＳ２）のキャリヤ（ＳＴ２）とが互いに結合され、第３遊星歯車組（ＲＳ３）のキャリヤ（ＳＴ３）が第２遊星歯車組（ＲＳ２）のリングギヤ（ＨＯ２）と結合され、第１遊星歯車組（ＲＳ１）のキャリヤ（ＳＴ１）が第３遊星歯車組（ＲＳ３）のリングギヤ（ＨＯ３）と結合されているかのいずれかであり、
‐第２遊星歯車組（ＲＳ２）を軸線方向にその中心を唯１本の軸が完全に通過し、
‐第１切換要素（Ａ）がディスクブレーキとして構成されているものにおいて、
‐第２および第５切換要素（Ｂ、Ｅ）が、軸線方向に関して、第１遊星歯車組（ＲＳ１）と第２遊星歯車組（ＲＳ２）との間に配置されており、
‐第４切換要素（Ｄ）が遊星歯車組（ＲＳ１、ＲＳ２、ＲＳ３）の半径方向外側の領域に配置されていることを特徴とする多段自動変速機。
【請求項２】
第１遊星歯車組（ＲＳ１）を軸線方向にその中心を唯１本の軸が完全に通過していることを特徴とする、請求項１記載の多段自動変速機。
【請求項３】
第１もしくは第２遊星歯車組（ＲＳ１、ＲＳ２）を軸線方向に通過する軸が自動変速機の入力軸（ＡＮ）であることを特徴とする、請求項２記載の多段自動変速機。
【請求項４】
第５切換要素（Ｅ）の１つのディスク束（５００）が第２切換要素（Ｂ）の１つのディスク束（２００）よりも大きな直径上に配置されていることを特徴とする、請求項１、２または３記載の多段自動変速機。
【請求項５】
第２および第５切換要素（Ｂ、Ｅ）が１つの構造群としてまとめられ、
‐第２および第５切換要素（Ｂ、Ｅ）のディスク束（２００、５００）と、
‐第２もしくは第５切換要素（Ｂ、Ｅ）の各ディスク束（２００、５００）を操作するための第２および第５切換要素（Ｂ、Ｅ）の各１つのサーボ機構（２１０、５１０）と、
‐第２、第５切換要素（Ｂ、Ｅ）のディスク束（２００、５００）の外ディスクまたは覆いディスクを受容するための、第２、第５切換要素（Ｂ、Ｅ）に共通する１つのディスク支持体（ＺＹＬＢＥ）とを有することを特徴とする、請求項１〜４のいずれか１項記載の多段自動変速機。
【請求項６】
第１遊星歯車組（ＲＳ１）のキャリヤ（ＳＴ１）と第２遊星歯車組（ＲＳ２）のリングギヤ（ＨＯ２）との間の結合要素が同時に第５切換要素（Ｅ）の１つの外ディスク支持体を形成することを特徴とする、請求項１〜５のいずれか１項記載の多段自動変速機。
【請求項７】
第２および第５切換要素（Ｂ、Ｅ）に共通するディスク支持体（ＺＹＬＢＥ）が１つの連結室を形成し、この連結室の内部に第２切換要素（Ｂ）のディスク束（２００）と第２切換要素（Ｂ）のサーボ機構（２１０）とが配置されていることを特徴とする、請求項６記載の多段自動変速機。
【請求項８】
第５切換要素（Ｅ）のサーボ機構（５１０）および／または第２切換要素（Ｂ）のサーボ機構（２１０）が、それらに付設されたディスク束（５００、２００）を、第５もしくは第２切換要素（Ｅ、Ｂ）の係合時に軸線方向で第１遊星歯車組（ＲＳ１）の方向に操作することを特徴とする、請求項１〜７のいずれか１項記載の多段自動変速機。
【請求項９】
第５切換要素（Ｅ）のサーボ機構（５１０）および／または第２切換要素（Ｂ）のサーボ機構（２１０）が、軸線方向に関して、それらに付設されたディスク束（５００、２００）と第２遊星歯車組（ＲＳ２）との間に配置されていることを特徴とする、請求項８記載の多段自動変速機。
【請求項１０】
第５切換要素（Ｅ）のサーボ機構（５１０）および／または第２切換要素（Ｂ）のサーボ機構（２１０）が、それらに付設されたディスク束（５００、２００）を、第５もしくは第２切換要素（Ｅ、Ｂ）の係合時に軸線方向で第２遊星歯車組（ＲＳ２）の方向に操作することを特徴とする、請求項１〜７のいずれか１項記載の多段自動変速機。
【請求項１１】
第５切換要素（Ｅ）のサーボ機構（５１０）および／または第２切換要素（Ｂ）のサーボ機構（２１０）が、軸線方向に関して、それらに付設されたディスク束（５００、２００）と第１遊星歯車組（ＲＳ１）との間に配置されていることを特徴とする、請求項１０記載の多段自動変速機。
【請求項１２】
第２切換要素（Ｂ）のサーボ機構（２１０）および／または第５切換要素（Ｅ）のサーボ機構（５１０）が、第１遊星歯車組（ＲＳ１）に中心で挿通される軸で、特に入力軸（ＡＮ）で、支承されていることを特徴とする、請求項１〜１１のいずれか１項記載の多段自動変速機。
【請求項１３】
第２切換要素（Ｂ）のサーボ機構（２１０）および／または第５切換要素（Ｅ）のサーボ機構（５１０）が第１遊星歯車組（ＲＳ１）の太陽歯車（ＳＯ１）で支承されていることを特徴とする、請求項１〜１１のいずれか１項記載の多段自動変速機。
【請求項１４】
第３切換要素（Ｃ）が軸線方向から見て遊星歯車組（ＲＳ１、ＲＳ２、ＲＳ３）の半径方向外側の領域に配置されていることを特徴とする、請求項１〜１３のいずれか１項記載の多段自動変速機。
【請求項１５】
第３および第４切換要素（Ｃ、Ｄ）が軸線方向に並んで配置されており、特に第３、第４切換要素（Ｃ、Ｄ）のディスク束（３００、４００）が少なくとも類似の直径上に配置されていることを特徴とする、請求項１４記載の多段自動変速機。
【請求項１６】
第３および第４切換要素（Ｃ、Ｄ）が予組立可能な構造群を形成し、この構造群が第３および第４切換要素（Ｃ、Ｄ）のディスク束（３００、４００）と第３および第４切換要素（Ｃ、Ｄ）に共通する１つの外ディスク支持体とを有し、第３切換要素（Ｃ）のディスク束（３００）を操作するための１つのサーボ機構（３１０）と第４切換要素（Ｄ）のディスク束（４００）を操作するための１つのサーボ機構（４１０）とが少なくとも部分的にこの共通する外ディスク支持体に一体化されていることを特徴とする、請求項１４または１５記載の多段自動変速機。
【請求項１７】
第３切換要素（Ｃ）が、軸線方向に関して、第１遊星歯車組（ＲＳ１）の隣に、第２遊星歯車組（ＲＳ２）とは反対側に配置されていることを特徴とする、請求項１〜１３のいずれか１項記載の多段自動変速機。
【請求項１８】
第１切換要素（Ａ）が第２遊星歯車組（ＲＳ２）とは反対の第３遊星歯車組（ＲＳ３）の側に配置されていることを特徴とする、請求項１〜１７のいずれか１項記載の多段自動変速機。
【請求項１９】
第１切換要素（Ａ）が、軸線方向に関して、第３遊星歯車組（ＲＳ３）に隣接していることを特徴とする、請求項１８記載の多段自動変速機。
【請求項２０】
第１切換要素（Ａ）が、変速機ケース（ＧＧ）の１つの外壁に隣接しているか、または変速機ケース（ＧＧ）と相対回転不能に結合されかつ自動変速機の１つの外壁を形成する１つの変速機ケース蓋に隣接していることを特徴とする、請求項１９記載の多段自動変速機。
【請求項２１】
第１切換要素（Ａ）が軸線方向に見て遊星歯車組（ＲＳ１、ＲＳ２、ＲＳ３）の半径方向外側の領域に、特に軸線方向に見て第３遊星歯車組（ＲＳ３）の半径方向外側の領域に、配置されていることを特徴とする、請求項１〜１７のいずれか１項記載の多段自動変速機。
【請求項２２】
第１および第４切換要素（Ａ、Ｄ）が軸線方向に並んで配置されており、特に第１、第４切換要素（Ａ、Ｄ）のディスク束（１００、４００）が少なくとも類似の直径上に配置されていることを特徴とする、請求項２１記載の多段自動変速機。
【請求項２３】
第１および第４切換要素（Ａ、Ｄ）が１つの予組立可能な構造群を形成し、この構造群が第１、第４切換要素（Ａ、Ｄ）のディスク束（１００、４００）と第１および第４切換要素（Ａ、Ｄ）に共通する１つの外ディスク支持体とを有し、第１切換要素（Ａ）のディスク束（１００）を操作するための１つのサーボ機構（１１０）と第４切換要素（Ｄ）のディスク束（４００）を操作するための１つのサーボ機構（４１０）とが少なくとも部分的にこの共通する外ディスク支持体に一体化されていることを特徴とする、請求項２１または２２記載の多段自動変速機。
【請求項２４】
入力軸（ＡＮ）と出力軸（ＡＢ）が互いに非同軸に延設されており、特に入力軸（ＡＮ）と出力軸（ＡＢ）が互いに軸線平行または角度を成して延設されていることを特徴とする、請求項１〜２３のいずれか１項記載の多段自動変速機。
【請求項２５】
１つの平歯車段（ＳＴＳＴ）または１つのチェーン伝動装置が設けられており、それを介して第１遊星歯車組（ＲＳ１）のリングギヤ（ＨＯ１）とこのリングギヤ（ＨＯ１）に結合された第３または第２遊星歯車組（ＲＳ３、ＲＳ２）のキャリヤ（ＳＴ３、ＳＴ２）とが出力軸（ＡＢ）に作用結合されており、平歯車段（ＳＴＳＴ）の１つの第１平歯車（ＳＴＲ１）もしくはチェーン伝動装置の１つの第１スプロケットが軸線方向に関して第３遊星歯車組（ＲＳ３）と第１切換要素（Ａ）との間に配置されていることを特徴とする、請求項１〜２４のいずれか１項記載の多段自動変速機。
【請求項２６】
１つの平歯車段（ＳＴＳＴ）または１つのチェーン伝動装置が設けられており、それを介して第１遊星歯車組（ＲＳ１）のリングギヤ（ＨＯ１）とこのリングギヤ（ＨＯ１）に結合された第３または第２遊星歯車組（ＲＳ３、ＲＳ２）のキャリヤ（ＳＴ３、ＳＴ２）とが出力軸（ＡＢ）に作用結合されており、平歯車段（ＳＴＳＴ）の１つの第１平歯車（ＳＴＲ１）もしくはチェーン伝動装置の１つの第１スプロケットが変速機ケース（ＧＧ）の１つの外壁または１つの変速機ケース固定ケース蓋に隣接していることを特徴とする、請求項１〜２４のいずれか１項記載の多段自動変速機。
【請求項２７】
入力軸（ＡＮ）と出力軸（ＡＢ）が互いに同軸に延設されていることを特徴とする、請求項１〜２３のいずれか１項記載の多段自動変速機。
【請求項２８】
第１切換要素（Ａ）がチェーン伝動装置の第１スプロケットによって形成される１つの円筒室の内部に配置されており、第１切換要素（Ａ）が軸線方向に関して第３遊星歯車組（ＲＳ３）に隣接していることを特徴とする、請求項２６記載の多段自動変速機。
【請求項２９】
入力軸（ＡＮ）と出力軸（ＡＢ）が互いに同軸に延設されていることを特徴とする、請求項１〜２３のいずれか１項記載の多段自動変速機。
【請求項３０】
第１遊星歯車組（ＲＳ１）のリングギヤ（ＨＯ１）に作用結合された出力軸（ＡＢ）が第３遊星歯車組（ＲＳ３）の中心に軸線方向に挿通されていることを特徴とする、請求項２９記載の多段自動変速機。
【請求項３１】
第１遊星歯車組（ＲＳ１）のリングギヤ（ＨＯ１）に作用結合された出力軸（ＡＢ）が第１切換要素（Ａ）の１つの連結室の中心に軸線方向に挿通され、この連結室が特に第１切換要素（Ａ）の１つのディスク支持体および／またはサーボ機構（１１０）によって形成されることを特徴とする、請求項２９または３０記載の多段自動変速機。
【請求項３２】
切換要素（Ａ〜Ｅ）を選択的に係合させることによって、少なくとも６つの前進変速段が切換可能であり、或る変速段から隣接する高い変速段または低い変速段へと切換えるときには唯一の操作された切換要素が開放されるとともに他の１つの切換要素が係合され、
第１前進変速段のとき第１および第４切換要素（Ａ、Ｄ）が係合され、第２前進変速段のとき第１および第３切換要素（Ａ、Ｃ）が係合され、第３前進変速段のとき第１および第２切換要素（Ａ、Ｂ）が係合され、第４前進変速段のとき第１および第５切換要素（Ａ、Ｅ）が係合され、第５前進変速段のとき第２および第５切換要素（Ｂ、Ｅ）が係合され、第６前進変速段のとき第３および第５切換要素（Ｃ、Ｅ）が係合され、そして後退変速段のとき第２および第４切換要素（Ｂ、Ｄ）が係合されていることを特徴とする、請求項１〜３１のいずれか１項記載の多段自動変速機。